(57)【要約】【課題】投射画像を見やすくする。【解決手段】レンズ位置取得部がフォーカスレンズの位置を取得して、発光出力検出部が当該フォーカスレンズの位置に対応する投射距離に基づいて設定された発光出力を検出して、光源制御部が当該発光出力に応じて、光源部の発光出力を制御するようにした。これにより、例えば、プロジェクタのスクリーンに対する設置位置が近すぎて、前回使用時の設定では投射画像が眩しい場合に、フォーカスレンズの位置を取得して、当該フォーカスレンズの位置に対応する投射距離に基づいて、光源部の発光出力を制御することにより、スクリーンに対する投射画像の眩しさを抑制し、投射画像を見やすくすることが可能となる。【選択図】図３
2013083737.tif 000002
【特許請求の範囲】
【請求項１】
光源部と、
前記光源部からの入射光に応じた画像の表示状態を、移動して調整する調整レンズを備え、調整した前記画像を投射位置に対して出射するレンズ部と、
前記調整レンズの位置を取得するレンズ位置取得部と、
取得した前記調整レンズの前記位置に応じて前記光源部の発光出力を制御する光源制御部と、
を有する画像表示装置。
【請求項２】
前記レンズ部が備える前記調整レンズはフォーカスレンズであって、前記フォーカスレンズを調整して前記画像の焦点を調整し、
前記光源制御部は、前記レンズ位置取得部が取得した前記フォーカスレンズの前記位置に対応する、前記投射位置までの投射距離に応じて前記光源部の発光出力を制御する請求項１記載の画像表示装置。
【請求項３】
前記光源制御部は、前記フォーカスレンズの前記位置に対応する前記投射距離が短くなるにつれて、前記光源部の前記発光出力を低下させる請求項２記載の画像表示装置。
【請求項４】
前記レンズ部が備える前記調整レンズはズームレンズであって、前記ズームレンズを調整して前記画像の倍率を調整し、
前記光源制御部は、前記レンズ位置取得部が取得した前記ズームレンズの前記位置に対応する前記倍率に応じて前記光源部の発光出力を制御する請求項１記載の画像表示装置。
【請求項５】
前記光源制御部は、前記ズームレンズの前記位置に対応する前記倍率が小さくなるにつれて、前記光源部の前記発光出力を低下させる請求項４記載の画像表示装置。
【請求項６】
光源部からの入射光に応じた画像を投射位置に対して出射するレンズ部が備える、前記画像の表示状態を、移動して調整する調整レンズの位置を取得するレンズ位置取得部と、
取得した前記調整レンズの前記位置に応じて前記光源部の発光出力を制御する光源制御部と、
を有する光源制御装置。
【請求項７】
光源部からの入射光に応じた画像を投射位置に対して出射するレンズ部が備える、前記画像の表示状態を、移動して調整する調整レンズの位置を取得するステップと、
取得した前記調整レンズの前記位置に応じて前記光源部の発光出力を制御するステップと、
を有する光源制御方法。
【発明の詳細な説明】
【技術分野】
【０００１】
本開示は、画像表示装置、光源制御装置及び光源制御方法に関する。
【背景技術】
【０００２】
会議等で多く利用されているプロジェクタ、液晶モニタ等の画像表示装置は液晶パネル及び光源を備えており、変調した当該光源からの光を液晶パネルに透過させて、スクリーン等に画像を投射することができる。このようなプロジェクタは、近年では、投射された画像の高輝度化（例えば、特許文献１）、省電電力化（例えば、特許文献２）、小型化等が進められている。
【先行技術文献】
【特許文献】
【０００３】
【特許文献１】特開２００９−１３３９１７号公報
【特許文献２】特開平１１−１０９３１７号公報
【発明の概要】
【発明が解決しようとする課題】
【０００４】
例えば、小型化（及び軽量化）されたプロジェクタは携帯性が向上し、所定位置に固定して設置されることなく、様々な場所で設置されるようになる。この場合に、例えば、特に高輝度化されたプロジェクタのスクリーンからの設置位置が近すぎて、前回使用時の設定で投射すると投射画像が眩しくなることがあり、ユーザには当該投射画像が見づらくなってしまう。このように、前回使用時の設定で投射すると投射画像が眩しすぎて見づらくなってしまい、また、ユーザの目に悪影響を及ぼす可能性がある場合があるという問題点があった。
【０００５】
本技術は、このような点に鑑みてなされたものであり、投射画面を見やすくした画像表示装置、光源制御装置及び光源制御方法を提供することを目的とする。
【課題を解決するための手段】
【０００６】
上記課題を解決するために、画像表示装置は、光源部と、レンズ部と、レンズ位置取得部と、光源制御部とを有する。レンズ部は、光源部からの入射光に応じた画像の表示状態を、移動して調整する調整レンズを備え、調整した画像を投射位置に対して出射する。レンズ位置取得部は調整レンズの位置を取得する。光源制御部は、取得した調整レンズの位置に応じて光源部の発光出力を制御する。
【０００７】
また、上記課題を解決するために、光源制御装置は、上記のレンズ位置取得部と、光源制御部とを有する。
【０００８】
また、上記解題を解決するために、光源制御装置において実行する光源制御方法は、光源部からの入射光に応じた画像を投射位置に対して出射するレンズ部が備える、画像の表示状態を、移動して調整する調整レンズの位置を取得するステップと、取得した調整レンズの位置に応じて光源部の発光出力を制御するステップと、を有する。
【発明の効果】
【０００９】
このような画像表示装置、光源制御装置及び光源制御方法によれば、投射画像を見やすくすることができる。
【図面の簡単な説明】
【００１０】
【図１】第１の実施の形態に係る画像表示装置のハードウェア構成例を示す図である。
【図２】第１の実施の形態に係る画像表示装置の画面サイズに対する投射距離の例を示す図である。
【図３】第１の実施の形態に係る光源制御装置が備える機能を表す機能ブロック図である。
【図４】第１の実施の形態に係るフォーカスレンズの位置に対応する投射距離の一例を示す図である。
【図５】第１の実施の形態に係る投射距離に対応する光源部の発光出力の一例を示す図である。
【図６】第１の実施の形態に係る光源制御装置で用いられるフォーカスレンズの位置に対応する光源部の発光出力のテーブルの一例を示す図である。
【図７】第１の実施の形態に係る光源制御装置の光源部の発光出力制御処理を実行するためのフローチャートである。
【図８】第２の実施の形態に係るズームレンズの位置に対応する倍率の一例を示す図である。
【図９】第２の実施の形態に係る倍率に対応する光源部の発光出力の一例を示す図である。
【図１０】第２の実施の形態に係る光源制御装置で用いられるフォーカスレンズの位置に対応する光源部の発光出力のテーブルの一例を示す図である。
【図１１】第２の実施の形態に係る光源制御装置の光源部の発光出力制御処理を実行するためのフローチャートである。
【発明を実施するための形態】
【００１１】
以下、図面を参照して実施の形態について説明する。
【００１２】
［第１の実施の形態］
画像表示装置の一例としてのプロジェクタの場合を例に挙げて、図１を用いて説明する。
【００１３】
図１は、第１の実施の形態に係る画像表示装置のハードウェア構成例を示す図である。  なお、図１では制御信号を実線で、入力信号を破線で、光を大型の矢印でそれぞれ示している。
【００１４】
プロジェクタ１０は、光源部１１と、光学処理部１２、液晶パネル部１３、レンズ部１４、レンズ調整部１５、レンズ調整位置検出部１６、操作受付部１７、制御部２０を備えている。
【００１５】
光源部１１は、水銀ランプ、キセノンランプ等である。例えば、フィリップス社製のランプ制御技術に対応したプロジェクタ用ランプであって、後述する制御部２０からの制御に応じて、発光出力を変更することができる。
【００１６】
光学処理部１２は、光源部１１から入射した光を集光し、液晶パネル部１３に出射する。
【００１７】
液晶パネル部１３は、制御部２０の制御に応じて駆動し、入力信号に基づき光源部１１からの入射光を変調して出射し画像を出力する。また、液晶パネル部１３は、各画素に対する電圧に応じて各画素の光の透過度を制御する。
【００１８】
レンズ部１４は、フォーカスレンズ（焦点レンズ）、ズームレンズ（倍率レンズ）等の調整レンズを備えている。レンズ部１４は、後述するレンズ調整部１５により調整されたフォーカスレンズ及びズームレンズに基づき、光源部１１から出射された光を受けた液晶パネル部１３が出力する画像をスクリーン等の投射面（投射位置）に対して拡大投射する。
【００１９】
レンズ調整部１５は、制御部２０からの制御により、レンズ部１４のフォーカスレンズ、ズームレンズ等の位置を移動させて、レンズ部１４からの投射画像のピント（焦点）、ズーム（倍率）等を調整することができる。
【００２０】
レンズ調整位置検出部１６は、例えば、ポテンションメータ、ロータリーエンコーダ、フォトトランジスタ等を備えている。レンズ調整位置検出部１６は、レンズ調整部１５により調整されたレンズ部１４のフォーカスレンズ、ズームレンズ等の位置を検出することができる。例えば、レンズ調整位置検出部１６は、レンズ部１４が備えるフォーカスレンズ、ズームレンズ等の調整レンズの回転角度を検出し、検出した回転角度に対応する調整レンズの位置を検出する。なお、レンズ調整位置検出部１６は、レンズ調整部１５の種類によっては、当該レンズ調整部１５からレンズ部１４の調整レンズの回転角度を取得し、取得した回転角度に対応するレンズの位置を検出するようにすることも可能である。
【００２１】
操作受付部１７は、プロジェクタ１０に外装されている入力切り替え、発光出力切り替え、コントラスト調整、ブライトネス調整、焦点合わせのためのフォーカスリング、倍率を変化させるためのズームリング等の各種操作キーに対する操作入力を受け付ける。また、操作受付部１７が受け付けた各種操作入力に基づき、後述する制御部２０が各操作に対応する制御を実行する。
【００２２】
制御部２０は、プロジェクタ１０全体を制御することができる。特に、光源部１１と、液晶パネル部１３、レンズ調整部１５の処理動作を制御する。このような制御部２０は、入力信号処理部２１と、画像処理部２２、パネル制御部２３、主制御部２４、メモリ部２５、光源制御装置３０を備える。
【００２３】
入力信号処理部２１は、例えば、プロジェクタ１０に接続されたパーソナルコンピュータ等の外部機器から入力信号を受け付ける。受け付けた入力信号に、画像表示を行うために必要な処理を行った画像信号を出力する。例えば、液晶パネル部１３に対する表示に適合した信号フォーマットへの変換処理、また、液晶パネル部１３の水平及び垂直画素数に適応させた解像度変換処理等の各種画質調整等のための信号処理を実行する。
【００２４】
画像処理部２２は、外部からの操作入力に応じて、入力信号処理部２１から出力された画像信号に対して台形歪み補正処理を行う。また、画像処理部２２は、画像信号に基づく画像に対して設定画面等の副画像を重ねて表示させるために当該画像信号に副画像信号を付加するためのＯＳＤ（On-Screen-Display）処理を行う。
【００２５】
パネル制御部２３は、画像処理部２２から出力された画像信号に基づき液晶パネル部１３の光変調動作を制御する。
【００２６】
主制御部２４は、制御部２０が備える入力信号処理部２１と、画像処理部２２、パネル制御部２３、後述する光源制御装置３０等の制御を介して、プロジェクタ１０全体を制御する。また、後述するメモリ部２５に対して情報を保持させ、また、メモリ部２５から情報の読み出しを行う。
【００２７】
メモリ部２５は、主制御部２４によるプロジェクタ１０の各構成での処理動作で利用及び生成される情報を保持する。例えば、入力信号処理部２１が入力信号を処理するために必要となる情報（各種プログラム、パラメータデータ、ユーザ設定情報、各種テーブル等）を予め保持している。
【００２８】
光源制御装置３０は、主制御部２４の制御に応じて光源部１１の発光出力を制御する。光源制御装置３０は、光源部１１の発光出力を、例えば、ユーザのモード設定に応じて、最大発光出力、最大発光出力に対して６５％、３０％（省電力モード）等にそれぞれ制御することができる。なお、それぞれの割合はこれらに限定されるものではなく、適宜設定することができる。また、光源制御装置３０が備える機能については後述する。
【００２９】
このような構成を備えるプロジェクタ１０では、入力信号処理部２１が入力信号に対して処理を行って出力した画像信号に応じて、パネル制御部２３が液晶パネル部１３の光変調動作を制御する。そして、液晶パネル部１３は、光源部１１から出射された光を変調して光学像（画像）を出力し、レンズ部１４等がこのようにして出力された画像をスクリーンに対して拡大投射する。
【００３０】
また、このようなプロジェクタ１０が備えるレンズ部１４の特性（画面サイズに対する投射距離）について図２を用いて説明する。
【００３１】
図２は、第１の実施の形態に係る画像表示装置の画面サイズに対する投射距離の例を示す図である。なお、図２では、画面サイズに対する、広角側及び望遠側の投射距離が例示されている。また、画面サイズについては、３種類（対角（インチ），（ｍ）及び縦×横）がそれぞれ表されている。
【００３２】
プロジェクタ１０のレンズ部１４のフォーカスレンズ及びズームレンズの位置を調整することにより、例えば、画面サイズが４０インチである場合には、投射距離は１．１７ｍ（広角側）、１．８９ｍ（望遠側）であり、この際のフォーカスレンズはニア（至近）側のレンズ端に位置する。また、画面サイズが６００インチである場合には、投射距離は１８．２３ｍ（広角側）、２９．０３ｍ（望遠側）であり、この際のフォーカスレンズはファー（無限遠）側のレンズ端に位置する。
【００３３】
次に、光源制御装置３０が備える機能について図３〜図６を用いて説明する。
【００３４】
図３は、第１の実施の形態に係る光源制御装置が備える機能を表す機能ブロック図である。また、図４は、第１の実施の形態に係るフォーカスレンズの位置に対応する投射距離の一例を示す図、図５は、第１の実施の形態に係る投射距離に対応する光源部の発光出力の一例を示す図、図６は、第１の実施の形態に係る光源制御装置で用いられるフォーカスレンズの位置に対応する光源部の発光出力のテーブルの一例を示す図である。
【００３５】
光源制御装置３０は、レンズ部１４が備える調整レンズの位置に応じて光源部１１の発光出力を制御することができるものである。
【００３６】
このような光源制御装置３０は、発光出力テーブル保持部３１を備えている。
【００３７】
発光出力テーブル保持部３１は、発光出力テーブルを有する。ここで発光出力テーブルについて説明する。
【００３８】
図２で説明したように、例えば、広角側のフォーカスレンズはニア側のレンズ端に位置する場合の投射距離は１．１７ｍであり、ファー側のレンズ端に位置する場合の投射距離は１８．２３ｍである。したがって、フォーカスレンズの位置がニア側のレンズ端とファー側のレンズ端との間で変位するに伴って、投射距離が１．１７ｍ〜１８．２３ｍの間で変位する。このことから、フォーカスレンズの位置は、１．１７ｍ〜１８．２３ｍの投射距離に対して、ニア側のレンズ端とファー側のレンズ端との間で線形に変位することで決定される。例えば、図４に示されるように、フォーカスレンズの位置が、Ｘ１以下の場合（Ｘ１からニア側のレンズ端まで）には、２ｍ以下の投射距離が対応し、Ｘ２〜Ｘ１５の場合には、２．１ｍ〜３．４ｍの投射距離が対応し、Ｘ１６以上の場合（Ｘ１からファー側のレンズ端まで）には、３．５ｍ以上の投射距離が対応する。このようにして、フォーカスレンズの位置に基づき、投射距離を検出することができる。
【００３９】
また、例えば、スクリーンまでの投射距離が近すぎる場合には、特に、高輝度化された光源部１１からのスクリーンに投射される出射光はスクリーンを見ている者（ユーザ）に対して眩しい印象を与えて、投射画像を見づらくしまうことがある。そこで、光源部１１の発光出力をスクリーンまでの投射距離に基づき設定することで、スクリーンを見ている者に対して、投射画像を見やすくすることができる。例えば、図５に示されるように、投射距離が２ｍ以下の場合には、最大発光出力に対して７０％の発光出力を対応させ、投射距離が２．１ｍ〜３．４ｍの場合には、７２％〜９８％の発光出力を対応させ、投射距離が３．５ｍ以上の場合には、１００％の発光出力を対応させる。これにより投射画像を見やすくすることができる。
【００４０】
このように、図４及び図５から、フォーカスレンズの位置により、投射距離が検出されて、検出した投射距離に対応付けた発光出力に基づき、光源部１１の発光出力を制御することができる。発光出力テーブル保持部３１は、フォーカスレンズの位置にこのような発光出力を対応付けた発光出力テーブルを保持する。例えば、図４及び図５を踏まえ、図６に示されるように、フォーカスレンズの位置に対して光源部１１の発光出力が対応付けられている。
【００４１】
光源制御装置３０は、さらに、レンズ位置取得部３２と、発光出力検出部３３、光源制御部３４を備えている。
【００４２】
レンズ位置取得部３２は、レンズ調整位置検出部１６から、レンズ調整位置検出部１６がフォーカスレンズまたはズームレンズの位置を検出するごとに取得する。
【００４３】
発光出力検出部３３は、発光出力テーブル保持部３１が保持する発光出力テーブルを参照して、レンズ位置取得部３２が取得したフォーカスレンズまたはズームレンズの位置に対応する発光出力を検出する。
【００４４】
光源制御部３４は、発光出力検出部３３が検出した発光出力に基づき、光源部１１の発光出力を制御する。
【００４５】
このような構成を有する光源制御装置３０による発光出力制御処理について図７を用いて説明する。
【００４６】
図７は、第１の実施の形態に係る光源制御装置の光源部の発光出力制御処理を実行するためのフローチャートである。
【００４７】
図７に示される発光出力制御処理は、フォーカスレンズの位置が取得されるごとに実行される。
【００４８】
［ステップＳ１１］  レンズ位置取得部３２は、レンズ部１４のフォーカスレンズの位置を取得する。なお、取得したフォーカスレンズの位置情報はメモリ部２５に保持される。
【００４９】
［ステップＳ１２］  レンズ位置取得部３２は、ステップＳ１１で取得したフォーカスレンズの位置が、前回取得したフォーカスレンズの位置から変化したか否かを判定する。フォーカスレンズの位置に変化が生じた場合には光源制御装置３０は、ステップＳ１３の処理に進み、変化が生じていない場合には発光出力制御処理を終了し、フォーカスレンズの位置の取得を待ち受ける。
【００５０】
例えば、プロジェクタ１０をスクリーンの前に設置して、スクリーンに対する投影画像が眩しい場合に、ユーザが投射画像の焦点を調節しようしてプロジェクタ１０のフォーカスリングを操作する。これにより、フォーカスレンズの位置が調整されて、フォーカスレンズの位置が変化すると、レンズ位置取得部３２は、フォーカスレンズの位置の変化を検出する。
【００５１】
［ステップＳ１３］  発光出力検出部３３は、発光出力テーブル保持部３１が保持する発光出力テーブル（図６）を参照して、ステップＳ１１で取得したフォーカスレンズの位置に対応する発光出力を検出する。
【００５２】
例えば、発光出力検出部３３は、調整されたフォーカスレンズの位置が、図６の発光出力テーブルの「Ｘ７」である場合には、「Ｘ７」に対応付けられた光源部１１の発光出力「８２％」を検出する。
【００５３】
［ステップＳ１４］  光源制御部３４は光源部１１の発光出力を、ステップＳ１３で検出した発光出力に制御する。
【００５４】
例えば、光源制御部３４は、光源部１１の現行の発光出力を、発光出力テーブル（図６）から検出した発光出力「８２％」に制御する。これにより、スクリーンに対する投射画像の眩しさが抑制されて、当該投射画像が見やすくなる。
【００５５】
このように、第１の実施の形態では、レンズ位置取得部３２がフォーカスレンズの位置を取得して、発光出力検出部３３が当該フォーカスレンズの位置に対応する投射距離に基づいて設定された発光出力を検出して、光源制御部３４が当該発光出力に応じて、光源部１１の発光出力を制御するようにした。これにより、例えば、プロジェクタ１０のスクリーンに対する設置位置が近すぎて、前回使用時の設定では投射画像が眩しい場合に、フォーカスレンズの位置を取得して、当該フォーカスレンズの位置に対応する投射距離に基づいて、光源部１１の発光出力を制御することにより、スクリーンに対する投射画像の眩しさを抑制し、投射画像を見やすくすることが可能となる。
【００５６】
［第２の実施の形態］
第２の実施の形態では、ズームレンズを用いた光源部１１の発光出力の制御について説明する。なお、第２の実施の形態でも、第１の実施の形態のプロジェクタ１０を用いて説明する。
【００５７】
まず、第２の実施の形態で利用する発光出力テーブルについて図８〜図１０を用いて説明する。
【００５８】
図８は、第２の実施の形態に係るズームレンズの位置に対応する倍率の一例を示す図、図９は、第２の実施の形態に係る倍率に対応する光源部の発光出力の一例を示す図、図１０は、第２の実施の形態に係る光源制御装置で用いられるズームレンズの位置に対応する光源部の発光出力のテーブルの一例を示す図である。
【００５９】
図４で説明したように、フォーカスレンズの位置に基づき投射距離を検出できる。同様に、ズームレンズの場合では、ズームレンズの位置に基づき倍率を検出することができる。例えば、図８に示されるように、ズームレンズの位置であるＹ１，Ｙ２，…Ｙｎに対して、倍率ａ１，ａ２，…ａｎ（ａｉ−１＜ａｉ、ｉ＝１，２，…ｎ）が対応している。このようにして、ズームレンズの位置に基づき、倍率を検出することができる。
【００６０】
また、特に高輝度化された光源部１１の発光出力は一定であることから、スクリーンに対するプロジェクタ１０からの投射画像の倍率が小さくなるとスクリーンに投射される出射光は単位面積当たりの輝度が向上する。このため、投射画像の倍率が小さくなるにつれて当該投射画像がより眩しく映り、当該投射画像が見づらくなる。そこで、光源部１１の発光出力を投射画像の倍率に基づき設定することで、スクリーンを見ているユーザに対して、投射画像を見やすくすることができる。例えば、図９に示されるように、倍率がａ１の場合には、最大発光出力に対して７０％の発光出力を対応させる。倍率がａ２〜ａ１５の場合には、７２％〜９８％の発光出力を対応させ、倍率がａ１６以上の場合には、１００％の発光出力を対応させる。これにより投射画像を見やすくすることができる。
【００６１】
このように、図８及び図９から、ズームレンズの位置により、倍率が検出されて、検出した倍率に対応付けた発光出力に基づき、光源部１１の発光出力を制御することができる。発光出力テーブル保持部３１は、ズームレンズの位置にこのような発光出力を対応付けた発光出力テーブルを保持する。例えば、図８及び図９を踏まえ、図１０に示されるように、ズームレンズの位置に対して光源部１１の発光出力が対応付けられている。
【００６２】
次に、このような発光出力テーブルを用いた光源制御装置３０によるズームレンズによる発光出力制御処理について図１１を用いて説明する。
【００６３】
図１１は、第２の実施の形態に係る光源制御装置の光源部の発光出力制御処理を実行するためのフローチャートである。
【００６４】
図１１に示される発光出力制御処理は、ズームレンズの位置が取得されるごとに実行されるものである。
【００６５】
［ステップＳ２１］  レンズ位置取得部３２は、レンズ部１４のズームレンズの位置を取得する。なお、取得したズームレンズの位置情報はメモリ部２５に保持される。
【００６６】
［ステップＳ２２］  レンズ位置取得部３２は、ステップＳ２１で取得したズームレンズの位置が、前回取得したズームレンズの位置から変化したか否かを判定する。ズームレンズの位置に変化が生じた場合には光源制御装置３０は、ステップＳ２３の処理に進み、変化が生じていない場合には発光出力制御処理を終了し、ズームレンズの位置の取得を待ち受ける。
【００６７】
例えば、プロジェクタ１０をスクリーンの前に設置して、スクリーンに対する投影画像が眩しい場合に、ユーザが投射画像の倍率を調節しようしてプロジェクタ１０のズームスリングを操作する。これにより、ズームレンズの位置が調整されて、ズームレンズの位置が変化すると、レンズ位置取得部３２は、ズームレンズの位置の変化を検出する。
【００６８】
［ステップＳ２３］  発光出力検出部３３は、発光出力テーブル保持部３１が保持する発光出力テーブル（図１０）を参照して、ステップＳ２１で取得したズームレンズの位置に対応する発光出力を検出する。
【００６９】
例えば、発光出力検出部３３は、調整されたズームレンズの位置が、図１０の発光出力テーブルの「Ｙ２」である場合には、「Ｙ２」に対応付けられた光源部１１の発光出力「７２％」を検出する。
【００７０】
［ステップＳ２４］  光源制御部３４は光源部１１の発光出力を、ステップＳ２３で検出した発光出力に制御する。
【００７１】
例えば、光源制御部３４は、光源部１１の現行の発光出力を、発光出力テーブル（図１０）から検出した発光出力「７２％」に制御する。これにより、スクリーンに対する投射画像の眩しさが抑制されて、当該投射画像が見やすくなる。
【００７２】
このように、第２の実施の形態では、レンズ位置取得部３２がズームレンズの位置を取得して、発光出力検出部３３が当該ズームレンズの位置に対応する倍率に基づいて設定された発光出力を検出して、光源制御部３４が当該発光出力に応じて、光源部１１の発光出力を制御するようにした。これにより、例えば、プロジェクタ１０のスクリーンに対する設置位置が近く、前回使用時の設定では投射画像が眩しい場合に、ズームレンズの位置を取得して、当該ズームレンズの位置に対応する倍率に基づいて、光源部１１の発光出力を制御することにより、スクリーンに対する投射画像の眩しさを抑制し、投射画像を見やすくすることが可能となる。
【００７３】
なお、上述の実施の形態は、実施の形態の要旨を逸脱しない範囲内において種々の変更を加えることができる。
【００７４】
さらに、上述の実施の形態は、多数の変形、変更が当業者にとって可能であり、説明した正確な構成及び応用例に限定されるものではない。
【符号の説明】
【００７５】
１０……プロジェクタ、１１……光源部、１２……光学処理部、１３……液晶パネル部、１４……レンズ部、１５……レンズ調整部、１６……レンズ調整位置検出部、１７……操作受付部、２０……制御部、２１……入力信号処理部、２２……画像処理部、２３……パネル制御部、２４……主制御部、２５……メモリ部、３０…光源制御装置、３１……発光出力テーブル保持部、３２……レンズ位置取得部、３３……発光出力検出部、３４……光源制御部
【図１】
2013083737.tif 000003
【図２】
2013083737.tif 000004
【図３】
2013083737.tif 000005
【図４】
2013083737.tif 000006
【図５】
2013083737.tif 000007
【図６】
2013083737.tif 000008
【図７】
2013083737.tif 000009
【図８】
2013083737.tif 000010
【図９】
2013083737.tif 000011
【図１０】
2013083737.tif 000012
【図１１】
2013083737.tif 000013